【事件の表示】
　特許第３０１１２７９号「歯科用パノラマＸ線撮影装置」の請求項１ないし３に係る特許に対する特許異議の申立てについて、次のとおり決定する。
【結　論】
　訂正を認める。
　特許第３０１１２７９号の請求項１ないし３に係る特許を維持する。
【理　由】
１．手続の経緯
　特許第３０１１２７９号の請求項１ないし３に係る発明についての出願は、平成３年２月２２日に特許出願されたもので、平成１１年１２月１０日にその発明について特許の設定登録がなされた後、株式会社モリタ製作所より特許異議の申立てがなされ、取消理由通知がなされ、その指定期間内である平成１３年２月１３日に訂正請求がなされたものである。
　
２．訂正の適否についての判断
ア）訂正の内容
　特許権者が求めている訂正の内容は次の訂正事項ａ〜ｄのとおりである。
（訂正事項ａ）
　本件特許請求の範囲の請求項１を、
「【請求項１】　歯科用パノラマＸ線撮影装置に於いて、装置の各部が任意の位置にあってもＸ線撮影スイッチを押し続けることによって、自動的に撮影準備完了状態にセットされ、撮影準備完了直後に連続してＸ線撮影が開始され、
又、前記Ｘ線撮影スイッチの操作中に、同スイッチを離すことにより、Ｘ線が停止する
（訂正事項ｂ）
　本件特許請求の範囲の請求項２を、
「【請求項２】　装置の各部の撮影準備が完了されていない時にＸ線撮影スイッチを
１回押して放すことで
又、前記Ｘ線撮影スイッチの操作中に、同スイッチを離すことにより、Ｘ線が停止する
（訂正事項ｃ）
　本件明細書【０００６】〜【０００７】段落を、
「【０００６】
　【課題を解決するための手段および作用】
　本発明の請求項１の発明は、歯科用パノラマＸ線撮影装置に於いて、装置の各部が任意の位置にあってもＸ線撮影スイッチを押し続けることによって、自動的に撮影準備完了状態にセットされ、撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置である。
　【０００７】
　請求項２の発明は、装置の各部の撮影準備が完了されていない時にＸ線撮影スイッチを１回押して放すことで自動的に撮影準備完了状態のセットを開始し、その後Ｘ線撮影スイッチを押し続けることによって、前記撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置である。」と訂正する。　　
（訂正事項ｄ）
　本件明細書【００１８】段落を、
「【００１８】
　【発明の効果】
　以上、説明したように本発明によれば、Ｘ線撮影スイッチを押すだけで自動で撮影準備状態に設定して直後に連続して撮影に入ることができるため、撮影のための準備作業に気を使うことがなく、操作が簡単であるとともに、誤撮影が防止でき、患者の位置付けや、安全のみに気を配ることができるＸ線撮影操作の的確、安全性を向上し得る。
　又、前記Ｘ線撮影スイッチの操作中に、同スイッチを離すことにより、Ｘ線照射を即時に停止することができ、Ｘ線撮影中の被爆事故等を防止することができる。」と訂正する。
　
イ）訂正の目的の適否、新規事項の有無及び拡張・変更の存否
　訂正事項ａは、請求項１に「又、前記Ｘ線撮影スイッチの操作中に、同スイッチを離すことにより、Ｘ線が停止する」構成を加えるもので、特許請求の範囲の減縮を目的とするものである。
　そしてこの訂正は、特許明細書において「操作者がＸ線撮影スイッチ２１を押し続けると、ＣＰＵ３はＸ線撮影が可能な状態かを撮影条件検知器８、アーム位置検出器１３、フィルム位置検出器１６等をチェックし、可能な状態でない場合には、アーム駆動源１２およびフィルム駆動源１５等を制御し、撮影可能な準備状態になるまで駆動する。この状態でＣＰＵ３は再度Ｘ線撮影が可能か否かのチェックを行い、Ｘ線撮影スイッチ２１が押されていることを確認して一連のＸ線断層撮影動作を行う。Ｘ線撮影時操作者がＸ線撮影スイッチ２１を放した場合は直ちにＸ線が停止するようにデッドマン方式になっている。」（【００１１】段落）と記載されていることから、願書に添付した明細書または図面に記載した事項の範囲内の補正であり、実質上特許請求の範囲を拡張し又は変更するものではない。
　訂正事項ｂは、請求項２の「Ｘ線撮影スイッチを１回押すことで」を、「Ｘ線撮影スイッチを１回押して放すことで」と訂正し、さらに「又、前記Ｘ線撮影スイッチの操作中に、同スイッチを離すことにより、Ｘ線が停止する」構成を加えるもので、特許請求の範囲の減縮を目的とするものである。
　そして、この訂正は、特許明細書において、上記【００１１】段落の記載、及び「ＣＰＵ３が撮影完了状態をチェックすると撮影は完了し、患者が出やすいように旋回アーム２４およびフィルムホルダー２５を移動した後に患者はレントゲン室から出る。操作者はフィルムカセッテ２６を取り出して現像処理を行う。以上のように操作者はＸ線撮影スイッチ２１を押すだけで自動で撮影を行うことができる。尚、Ｘ線撮影の準備動作が完了していない時にＸ線撮影スイッチ２１を１度押して放した場合には準備動作を行い、準備完了の状態で待機する。この場合、次にＸ線撮影スイッチ２１を押し続けることで通常のＸ線撮影を行うものである。」（【００１２】段落）と記載されていることから、願書に添付した明細書または図面に記載した事項の範囲内の補正であり、また実質上特許請求の範囲拡張し又は変更するものではない。
　訂正事項ｃ及びｄは、訂正事項ａ及びｂでなされた訂正の記載との整合をとるために訂正するもので、明りょうでない記載の釈明を目的とし、願書に最初に添付した明細書又は図面に記載した事項の範囲内の補正であり、また実質上特許請求の範囲を拡張し又は変更するものではない。
　
ウ）むすび
　以上のとおりであるから、上記訂正は、特許法等の一部を改正する法律（平成６年法律第１１６号。）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
ア）本件発明
　本件請求項１ないし３に係る発明（以下、それぞれ「本件発明１」，「本件発明２」，「本件発明３」という。）は、訂正明細書及び図面の記載からみて、それぞれ、特許請求の範囲の請求項１ないし３に記載された次のとおりのものである。
「【請求項１】　歯科用パノラマＸ線撮影装置に於いて、装置の各部が任意の位置にあってもＸ線撮影スイッチを押し続けることによって、自動的に撮影準備完了状態にセットされ、撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置。
【請求項２】　装置の各部の撮影準備が完了されていない時にＸ線撮影スイッチを１回押して放すことで自動的に撮影準備完了状態のセットを開始し、その後Ｘ線撮影スイッチを押し続けることによって、前記撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置。
【請求項３】　前記Ｘ線撮影スイッチをレントゲン室の室外に取り付けるとともにリモート操作機能を具備することにより構成したことを特徴とする請求項１または２に記載の歯科用パノラマＸ線撮影装置。」
　
イ）申立ての理由の概要
　申立人株式会社モリタ製作所は、甲第１号証ないし甲第３号証を提出し、下記Ａ）〜Ｃ）の理由により請求項１ないし３に係る発明の特許は取り消すべき旨、主張している。
Ａ）請求項１に係る発明は、甲第１号証（特開平２−１２８７５８号公報）、甲第２号証（実願昭６３−１３０１５９号（実開平２−５１５１３号）のマイクロフィルム）に記載の発明、あるいは１９９１年２月２０日、鹿児島大学歯学部付属病院放射線科に納品され設置され、その後公衆の見得する状態において歯科治療のために使用された、株式会社モリタ製作所製の歯科用パノラマ撮影装置（商品名：ＣＲ対応スーパーベラビュー、タイプ名：Ｘ−５００ＣＲ）〔以下、「歯科用Ｘ線撮影装置Ｘ−５００ＣＲ」という。〕に基づいて当業者が容易に発明をすることができたものであるから、特許法２９条２項の規定により特許を受けることができない。
Ｂ）請求項２に係る発明は、甲第１号証（特開平２−１２８７５８号公報）、甲第２号証（実願昭６３−１３０１５９号（実開平２−５１５１３号）のマイクロフィルム）に記載の発明に基づいて当業者が容易に発明をすることができたものであるから、特許法２９条２項の規定により特許を受けることができない。あるいは、１９９１年２月２０日、鹿児島大学歯学部付属病院放射線科に納品され設置され、その後公衆の見得する状態において歯科治療のために使用された、株式会社モリタ製作所製の歯科用パノラマ撮影装置（商品名：ＣＲ対応スーパーベラビュー、タイプ名：Ｘ−５００ＣＲ）〔以下、「歯科用Ｘ線撮影装置Ｘ−５００ＣＲ」という。〕と同一であることから、２９条１項２号の規定により特許を受けることができない。
Ｃ）１９９１年２月２０日、鹿児島大学歯学部付属病院放射線科に納品され設置され、その後公衆の見得する状態において歯科治療のために使用された、株式会社モリタ製作所製の歯科用パノラマ撮影装置（商品名：ＣＲ対応スーパーベラビュー、タイプ名：Ｘ−５００ＣＲ）〔以下、「歯科用Ｘ線撮影装置Ｘ−５００ＣＲ」という。〕と同一であることから、２９条１項２号の規定により特許を受けることができない。
　
ウ）甲第１ないし２号証に記載された事項
　甲第１号証（特開平２−１２８７５８号公報）には、
「本発明は、歯科用パノラマＸ線撮影装置に顎関節撮影手段及び／若しくは耳鼻科領域撮影手段を付加しこれらをシステム化した医療用パノラマＸ線撮影装置に関」（２頁右上欄８−１１行）し、
「先ず、撮影モード選択手段４により所望の撮影モードを選択する。パノラマ撮影モードを選択したときには、その選択モードに応じてＸ線照射タイミング決定手段５及びＸ線フィルム移動パターン決定手段６によりパノラマ撮影に適正なＸ線照射タイミング及びＸ線の移動パターンが決定され、撮影スイッチをオンとすれば、旋回アーム２１の旋回がスタートし、上記照射タイミングに基づきＸ線源２２から患者保持装置３に保持された患者の歯列弓に沿ってＸ線ビームが照射され、フィルムホールダ２３内を上記移動パターンに基づき移動するＸ線フィルム２３１上に歯列弓の断層撮影像が写し出される。」（５頁左下欄９行−右下欄１行）、
「顎関節撮影モード若しくは耳鼻科領域撮影モードを選択した時、上記同様これら撮影モードに適したＸ線照射タイミング及びＸ線フィルム移動パターンが決定され、この決定モードに従い旋回アーム２１が旋回し該旋回アーム２１が目的の撮影領域を通過する間Ｘ線が照射され移動パターンに従って移動するＸ線フィルム２３１の所定部位にその撮影像が写し出される。Ｘ線フィルム２３１上に分割撮影する場合は、旋回アーム２１の旋回の間Ｘ線フィルム２３１が途中早送りされたり停止されたりして１枚のＸ線フィルム２３１上に重なり合うことなく区画的に各部位のＸ線撮影像が写し出される。」（５頁右下欄１１行−６頁左上欄３行）、
「第１２図乃至第１５図は、撮影シークエンスに至る位置付け等の準備段階のフローチャート図を示す。第１２図は顎関節若しくは耳鼻科領域撮影の際の異なるＸ線照射角度の設定を上記本体側のマイクロプロセッサー５６により行なうようにした例を示す。先ず、スタートボタンを押し撮影モードを選択する。顎関節若しくは耳鼻科領域撮影モードを選択したときは更にＸ線照射角度の選択を行ない、事前に設定された複数のＸ線照射角度に対応する断層形成機構の前後位置データＲ１（Ａ、Ｂ、Ｃ・・・）のいずれかが選択される。この選択された位置データＲ１は現実の旋回アーム２１の位置データＰと比較され、Ｒ１＝Ｐのときには顎関節若しくは耳鼻科領域撮影の位置決めが終了する。そしてＲ１とＰが等しくない場合には旋回アーム２１に前後いずれかの方向に移動信号が発せられ再び両者の比較がなされた後、或いはこれが繰り返された後にその位置決めが完了する。」（９頁左下欄６行−右下欄３行）、
「第１８図は患者位置付け機構を含む装置に於いて主に顎関節の分割撮影を行なう場合の撮影シークエンスのフローチャート図を示す。図に於いて、スタート後エミッションスイッチがオンとされている場合は、フィルムカセット２３４が撮影範囲のスタート位置にあるか否かがチェックされる。フィルムカセット２３４が正しく設置されていない場合はそのセットし直しが実施される。その後旋回アーム２１が旋回スタートし、Ｘ線照射開始位置（例えば、左顎関節領域）に至るとＸ線の照射が開始される。」（１０頁右下欄１５行−１１頁左上欄５行）、
「パノラマ撮影や耳鼻科領域の撮影も、夫々に応じた若干の変更はあるもののこれとほぼ同様のパターンで撮影シークエンスが実行される。」（１１頁右上欄１０−１２行）と、記載されている。
　したがって、甲第１号証には、「顎関節撮影手段及び耳鼻科領域撮影手段を付加した歯科用パノラマＸ線撮影装置において、撮影モード選択手段により所望の撮影モードを選択すると、準備段階になり、エミッションスイッチを押すと旋回アームが旋回し、Ｘ線照射開始位置に至るとＸ線の照射が開始される歯科用パノラマＸ線撮影装置」が記載されている。
　
　甲第２号証（実願昭６３−１３０１５９号（実開平２−５１５１３号）のマイクロフィルム）には、
「全顎（以下、パノラマと略称する）Ｘ線撮影及び頭部規格（以下、セファロと略称する）Ｘ線撮影を兼用する歯科用パノラマ・セファロＸ線撮影装置に関」（明細書３頁７−１０行）し、
「マイクロプロセッサーＭ１の撮影モード選択キーボード（不図示・・・パノラマ撮影かセファロ撮影か）の選択操作により各機能が作動するようになされて」（明細書１６頁９−１２行）、
「アーム回転制御回路（即ち、前記旋回駆動機構３０に組み込まれている）ＡにマイクロプロセッサーＭ１から指令信号が入力されると、アーム回転機構（即ち、旋回駆動機構３０）Ａ１が作動し、旋回アーム３がパノラマ撮影スタート位置若しくはセファロ撮影位置（この場合、両者は等しい）に旋回駆動される。スタート位置ストッパー検出回路Ａ２でその位置が検出され、これがマイクロプロセッサーＭ１で適正か否か判断され、上記同様必要によってアーム回転制御回路Ａにフィードバックされて、旋回アーム３が各撮影モードに適正な位置に位置決めされる。」（明細書１７頁１９行−１８頁１０行）、
「第８図は、逆にセファロ撮影からパノラマ撮影への切替え要領の一例を示すフローチャート図である。本図に於いて、上記同様マイクロプロセッサーＭ１に於いてセファロ撮影モードを選択すると、Ｘ線発生器４が上記とは逆に回転しストッパー７４に当接して停止する。上記同様ストッパーの作用が確認されロックされた後、ロックが一旦解除され、Ｘ線束絞り装置８に於けるパノラマ撮影に適したスリットの選択がなされる。更に旋回アーム３がパノラマ撮影のスタート位置に旋回し、正しくスタート位置に至るとここで停止ロックされるが、このスタート位置に到達したことが確認されない場合は再度旋回アーム３の旋回がなされる。ひき続きこのロックが一旦解除され、パノラマ用フィルムカセッテ５がスタート位置に移動する。その後、上記と同じ要領で安全性が確保され、Ｘ線エミッションスイッチがオンされるとＸ線発生器４からＸ線が照射されると共に旋回アーム３が患者歯列弓の廻りに旋回し、同時にフィルムカセッテ５がスライドしフィルム上に歯列弓の断層パノラマ撮影像が写し出される。前記自動位置付け手段が装備されている場合は、本フローチャートの途中に移動機構９による旋回アーム３の前後移動工程が付加される。亦、顎関節撮影を行なう場合にはそれに適正な撮影モードに従い各機構の位置付け等がなされる。」（明細書２２頁１０行−２３頁１５行）と、記載されている。
　さらに第８図を参照すると、Ｘ線エミッションスイッチがＯＮされているかどうかを検出し、ＯＮを検出するとＸ線照射関係動作を行なうものと認められる。
　
エ）当審の判断
申立の理由Ａ）について　
　まず、本件発明１と甲第１号証記載の発明とを比較すると、甲第１号証記載の発明の「エミッションスイッチ」は、本件発明１の「Ｘ線撮影スイッチ」に相当することから、本件発明１と甲第１号証記載の発明とは、「装置の各部が任意の位置にあっても撮影準備完了状態にセットされ、Ｘ線撮影スイッチを押すとＸ線撮影が開始される歯科用パノラマ撮影装置」において一致するものの、
本件発明１は「Ｘ線撮影スイッチを押し続けることによって、自動的に撮影準備完了状態にセットされ、撮影準備完了直後に連続してＸ線撮影が開始され、又、前記Ｘ線撮影スイッチの操作中に、同スイッチを離すことにより、Ｘ線が停止する」のに対し、甲第１号証記載の発明は、「撮影モードの選択により撮影準備が行われ、Ｘ線撮影スイッチを押すことにより旋回アームが旋回し、該旋回アームが目的の撮影領域を通過する間Ｘ線が照射され、Ｘ線撮影スイッチを離してもＸ線が停止するかどうか不明である」点で相違している。
　さらにこの相違点について検討すると、甲第２号証には、「パノラマ撮影モードが選択された場合、旋回アームがパノラマ撮影のスタート位置に旋回し、その後、Ｘ線エミッションスイッチがオンされると旋回アームが旋回を開始する」こと、及び「Ｘ線エミッションスイッチがオンされているか否かを検出する」ことが記載されているものの、「Ｘ線撮影スイッチで撮影準備も行われること」及び「Ｘ線撮影スイッチの操作中に、同スイッチを離すことにより、Ｘ線が停止すること」は記載されていない。
　しかも、本件発明１は「Ｘ線撮影スイッチで撮影準備も行われること」及び「Ｘ線撮影スイッチの操作中に、同スイッチを離すことにより、Ｘ線が停止すること」により、「撮影のための準備作業に気を使うことがなく、操作が簡単であるとともに、誤撮影が防止でき、患者の位置付けや、安全のみに気を配ることができるＸ線撮影操作の的確、安全性を向上し得る。」という、明細書記載の効果を奏するものと認められる。
　したがって、本件発明１が上記甲第１ないし２号証に記載のものから容易に発明をすることができたものとはいえない。
　なお、甲第３号証の添付資料２は、作成者，作成日が不明であり、証明願の証明者（野井倉武憲）と添付資料１のＸ−５００ＣＲとの関係も不明であるから、甲第３号証によっては添付資料１と２に記載された構成の歯科用パノラマＸ線撮影装置が本件出願前公然実施されたと認めるに十分ではなく、その公然実施を前提とする異議申立人の主張は採用できない。
　
申立の理由Ｂについて）
　本件発明２と甲第１号証記載の発明とを比較すると、甲第１号証記載の発明の「エミッションスイッチ」は、本件発明２の「Ｘ線撮影スイッチ」に相当することから、本件発明２と甲第１号証記載の発明は、「装置の各部が任意の位置にあっても撮影準備完了状態にセットされ、Ｘ線撮影スイッチを押すとＸ線撮影が開始される歯科用パノラマ撮影装置」において一致するものの、本件発明２は、「Ｘ線撮影スイッチを１階押して放すことで自動的に撮影準備完了状態にセットを開始し、Ｘ線撮影スイッチを押し続けることによって、撮影準備完了直後に連続してＸ線撮影が開始され、又、前記Ｘ線撮影スイッチの操作中に、同スイッチを離すことにより、Ｘ線が停止する」のに対し、甲第１号証に記載の発明は、「撮影モードの選択により撮影準備が行われ、Ｘ線撮影スイッチを押すことにより旋回アームが旋回し、該旋回アームが目的の撮影領域を通過する間Ｘ線が照射され、Ｘ線撮影スイッチを離してもＸ線が停止するかどうか不明である」点で相違している。
　さらにこの相違点について検討すると、甲第２号証には、「パノラマ撮影モードが選択された場合、旋回アームがパノラマ撮影のスタート位置に旋回し、その後、Ｘ線エミッションスイッチがオンされると旋回アームが旋回を開始する」こと、及び「Ｘ線エミッションスイッチがオンされているか否かを検出する」ことが記載されているものの、「Ｘ線撮影スイッチで撮影準備も行われること」及び「Ｘ線撮影スイッチの操作中に、同スイッチを離すことにより、Ｘ線が停止すること」は記載されていない。
　しかも、本件発明２は「Ｘ線撮影スイッチで撮影準備も行われること」及び「Ｘ線撮影スイッチの操作中に、同スイッチを離すことにより、Ｘ線が停止すること」により、「撮影のための準備作業に気を使うことがなく、操作が簡単であるとともに、誤撮影が防止でき、患者の位置付けや、安全のみに気を配ることができるＸ線撮影操作の的確、安全性を向上し得る。」という、明細書記載の効果を奏するものと認められる。
　したがって、本件発明２が上記甲第１ないし２号証に記載のものから容易に発明をすることができたものとはいえない。
　また、甲第３号証については、前示のとおりであるから、甲第３号証に基づく異議申立人の主張を採用することはできない。
　
申立の理由Ｃ）について
　前示の理由から、甲第３号証に基づく異議申立人の主張を採用することはできない。
　
オ）むすび
　以上のとおりであるから、特許異議申立ての理由及び証拠によっては、本件請求項１ないし３に係る発明についての特許を取り消すことはできない。
　また、他に本件請求項１ないし３に係る発明についての特許を取り消すべき理由を発見しない。
　したがって、本件請求項１ないし３に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記の通り決定する。
【異議決定日】
平成１４年３月１１日（２００２．３．１１）
【訂正の要旨】
（訂正事項ａ）
　本件特許請求の範囲の請求項１を、特許請求の範囲の減縮を目的として、
「【請求項１】　歯科用パノラマＸ線撮影装置に於いて、装置の各部が任意の位置にあってもＸ線撮影スイッチを押し続けることによって、自動的に撮影準備完了状態にセットされ、撮影準備完了直後に連続してＸ線撮影が開始され、
又、前記Ｘ線撮影スイッチの操作中に、同スイッチを離すことにより、Ｘ線が停止する
（訂正事項ｂ）
　本件特許請求の範囲の請求項２を、特許請求の範囲の減縮を目的として、
「【請求項２】　装置の各部の撮影準備が完了されていない時にＸ線撮影スイッチを
１回押して放すことで
又、前記Ｘ線撮影スイッチの操作中に、同スイッチを離すことにより、Ｘ線が停止する
（訂正事項ｃ）
　本件明細書【０００６】〜【０００７】段落を、明りょうでない記載の釈明を目的として、
「【０００６】
　【課題を解決するための手段および作用】
　本発明の請求項１の発明は、歯科用パノラマＸ線撮影装置に於いて、装置の各部が任意の位置にあってもＸ線撮影スイッチを押し続けることによって、自動的に撮影準備完了状態にセットされ、撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置である。
　【０００７】請求項２の発明は、装置の各部の撮影準備が完了されていない時にＸ線撮影スイッチを１回押して放すことで自動的に撮影準備完了状態のセットを開始し、その後Ｘ線撮影スイッチを押し続けることによって、前記撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置である。」と訂正する。
（訂正事項ｄ）
　本件明細書【００１８】段落を、明りょうでない記載の釈明を目的として、
「【００１８】
　【発明の効果】
　以上、説明したように本発明によれば、Ｘ線撮影スイッチを押すだけで自動で撮影準備状態に設定して直後に連続して撮影に入ることができるため、撮影のための準備作業に気を使うことがなく、操作が簡単であるとともに、誤撮影が防止でき、患者の位置付けや、安全のみに気を配ることができるＸ線撮影操作の的確、安全性を向上し得る。
　又、前記Ｘ線撮影スイッチの操作中に、同スイッチを離すことにより、Ｘ線照射を即時に停止することができ、Ｘ線撮影中の被爆事故等を防止することができる。」と訂正する。
（５４）【発明の名称】
歯科用パノラマＸ線撮影装置
（５７）【特許請求の範囲】
　【請求項１】　歯科用パノラマＸ線撮影装置に於いて、装置の各部が任意の位置にあってもＸ線撮影スイッチを押し続けることによって、自動的に撮影準備完了状態にセットされ、撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置。
　【請求項２】　装置の各部の撮影準備が完了されていない時にＸ線撮影スイッチを１回押して放すことで自動的に撮影準備完了状態のセットを開始し、その後Ｘ線撮影スイッチを押し続けることによって、前記撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置。
　【請求項３】　前記Ｘ線撮影スイッチをレントゲン室の室外に取り付けるとともにリモート操作機能を具備することにより構成したことを特徴とする請求項１または２に記載の歯科用パノラマＸ線撮影装置。
【発明の詳細な説明】
　【０００１】
　【産業上の利用分野】
　本発明は歯科用パノラマＸ線撮影装置に関する。
　【０００２】
　【従来の技術】
　従来、歯科用パノラマＸ線撮影装置は操作パネル上の操作スイッチを操作し、撮影のための準備動作を行った後にレントゲン室外にあるＸ線撮影スイッチを繰作した。操作者はレントゲン室の外から患者の様子を確認しながらＸ線撮影の操作を行わなければならないので、Ｘ線撮影スイッチは操作上の間違いを防ぐために片手で簡単に操作できるようにデッドマン方式のハンドスイッチになっている。従来Ｘ線撮影操作を行う際に撮影のための各部の準備状態が完了していない場合は、手動で準備状態に設定するか、準備状態に設定するためのリセットスイッチを押して設定していた。又、準備が完了していないとエラー表示し、誤撮影を防ぐようになっているものもある。
　【０００３】
　しかして、従来のパノラマＸ線撮影制御装置では、図４のようにリセットスイッチ２３が押されるとフリップフロップ回路２７のセット端子に入力され、出力Ｑが立ち上がって撮影準備制御回路３０が駆動する。この出力は撮影準備完了し、撮影準備完了検出スイッチ２４の検出信号がフリップフロップ回路２７のリセット端子に入力されるまで保持されて出力される。撮影準備完了検出スイッチ２４の検出信号はフリップフロップ回路２８のセット端子にも入力され、このフリップフロップ回路２８の出力を立ち上げ、Ｘ線撮影完了検出スイッチ２５の検出信号がリセット端子に入力されるまで保持される。この状態でＸ線撮影スイッチ２６が押されると、ＡＮＤ回路２９によってＸ線撮影スイッチ２６が押されている間だけＸ線撮影制御回路３１を駆動する。また、撮影が完了するとＡＮＤ回路２９の出力は反転し、Ｘ線撮影制御回路３１を停止する。
　【０００４】
　【発明が解決しようとする課題】
　しかるに、前記従来の医療用パノラマＸ線撮影装置において、撮影の準備状態にない時はその都度セットされていない所を確認し再設定したり、リセットスイッチ２３を押したりしなければならず、患者を待たせたり誤撮影の原因になったりした。また、リセットスイッチ２３がレントゲン室の外にある場合でもこのリセット操作を行うために患者から一端目を放して操作パネル上のＫＥＹ操作を行わなければならなかった。
　【０００５】
　本発明は、前記従来の医療用パノラマＸ線撮影装置におけるわずらわしい操作を無くすために発明されたもので、操作者が操作パネル上の操作に気をとられることなく患者の位置付け状態や安全のみに気を配ることができ、より安全で確実な撮影ができる医療用パノラマＸ線撮影装置の提供を目的とする。
　【０００６】
　【課題を解決するための手段および作用】
　本発明の請求項１の発明は、歯科用パノラマＸ線撮影装置に於いて、装置の各部が任意の位置にあってもＸ線撮影スイッチを押し続けることによって、自動的に撮影準備完了状態にセットされ、撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置である。
　【０００７】
　請求項２の発明は、装置の各部の撮影準備が完了されていない時にＸ線撮影スイッチを１回押して放すことで自動的に撮影準備完了状態のセットを開始し、その後Ｘ線撮影スイッチを押し続けることによって、前記撮影準備完了直後に連続してＸ線撮影が開始され、又、前記Ｘ線撮影スイッチの操作中に、同スイッチを離すことにより、Ｘ線が停止するように構成したことを特徴とする歯科用パノラマＸ線撮影装置である。
　【０００８】
　請求項３の発明は、前記Ｘ線撮影スイッチをレントゲン室の室外に取り付けるとともにリモート操作機能を具備することにより構成したことを特徴とする請求項１または２に記載の歯科用パノラマＸ線撮影装置である。そして本発明は、Ｘ線撮影スイッチに撮影準備状態を自動的に設定するためのリセット機能を保有せしめて準備が完了されていない場合にはリセット機能が優先して働くようにしたものである。
　【０００９】
　【実施例１】
　以下、本発明の実施例を図面に基づいて説明する。
　図１は、本発明の第１実施例であるＸ線撮影制御装置のブロック図である。１は操作機であり、キーボードや各種の操作スイッチ及び撮影準備状態を設定するためのリセットスイッチ等から成っている。２は入出力インターフェース部（１／０）、３はＣＰＵ（中央処理装置）、４は各種のプログラムやデータ等を記憶しているＲＯＭ、５は一時的にデータ等を記憶しておくＲＡＭ、７はアドレス、データ及び制御の伝送路である。８はＸ線撮影装置９に結合され、該装置が設定された条件通りに動作しているかどうか等を検知するための撮影条件検知器、１０は撮影条件を設定するための制御回路、１１，１４及び１７は断層撮影の断層域を作るためのレントゲンヘッドの旋回、フィルムの送り、顎位置を決めるチンレストの送り等を制御する制御回路、１２，１５及び１８はモータ等から成る駆動源、１３，１６及び１９はそれぞれの位置を検出する位置検出器２２はレントゲン室の外に設置されるリモート部で、Ｘ線撮影スイッチ２１と管電圧、撮影時間等を表示する表示器２０とから成る。表示器６は表示器２０と同じもので操作機１に具備するものである。
　【００１０】
　次に動作について図１及び図２に基づいて説明する。図２は本発明の医療用パノラマＸ線撮影装置の構成を示す概略側面図である。操作機１によってあらかじめ患者導入の際に邪魔にならないように旋回アーム２４およびフィルムホルダー２５を移動した後患者を導入し、撮影装置本体２３の断層域の軌道に患者の歯列が最適な状態で合うように装置から発光する位置付けビーム２９に患者を合わせて操作機１を操作し、Ｘ線装置本体２３を支柱３０に沿って上下して患者の顎の高さを合わせる。また、顎を載せるチンレスト２８をチンレスト制御回路１７およびチンレスト駆動源１８で移動して前歯部の位置を合わせる。その後、患者に合った管電圧を設定するために撮影条件検知器８を組込む頭部押さえ３１で患者の頭部を押さえ、頭部厚を検知し、撮影条件制御回路１０により管電圧を自動設定する。操作者はフィルムカセッテ２６をフィルムホルダー２５にセットしてレントゲン室の外に出て鉛ガラス越しに患者の状態を確認しながらＸ線撮影スイッチ２１を押す。
　【００１１】
　操作者がＸ線撮影スイッチ２１を押し続けると、ＣＰＵ３はＸ線撮影が可能な状態かを撮影条件検知器８、アーム位置検出器１３、フィルム位置検出器１６等をチェックし、可能な状態でない場合には、アーム駆動源１２およびフィルム駆動源１５等を制御し、撮影可能な準備状態になるまで駆動する。この状態でＣＰＵ３は再度Ｘ線撮影が可能か否かのチェックを行い、Ｘ線撮影スイッチ２１が押されていることを確認して一連のＸ線断層撮影動作を行う。Ｘ線撮影時操作者がＸ線撮影スイッチ２１を放した場合は直ちにＸ線が停止するようにデッドマン方式になっている。
　【００１２】
　ＣＰＵ３が撮影完了状態をチェックすると撮影は完了し、患者が出やすいように旋回アーム２４およびフィルムホルダー２５を移動した後に患者はレントゲン室から出る。操作者はフィルムカセッテ２６を取り出して現像処理を行う。以上のように操作者はＸ線撮影スイッチ２１を押すだけで自動で撮影を行うことができる。尚、Ｘ線撮影の準備動作が完了していない時にＸ線撮影スイッチ２１を１度押して放した場合には準備動作を行い、準備完了の状態で待機する。この場合、次にＸ線撮影スイッチ２１を押し続けることで通常のＸ線撮影を行うものである。
　【００１３】
　【実施例２】
　以上ＣＰＵ３で制御した場合の実施例を示したが、次に本発明の操作回路を論理回路で示した実施例を説明する。図３は本発明のパノラマＸ線制御装置の操作回路を論理回路で示した説明図である。図中３３は撮影準備を完了したことを検出して伝達する撮影準備完了検出スイッチ、３２はＸ線撮影スイッチ、３４はＸ線撮影が完了したことを検出して伝達するＸ線撮影完了検出スイッチ、３５および３７はセット入力で出力反転しリセット入力が優先のフリップフロップ回路、３８はＡＮＤ回路、３６は撮影準備状態に設定するための制御回路、３９はＸ線撮影を制御するＸ線撮影制御回路である。
　【００１４】
　また、図３の実施例は、従来使用していた図４のパノラマＸ線撮影装置のリセットスイッチ２３を使用しないでＸ線撮影スイッチ３２にリセットスイッチ機能を有した回路である。
　【００１５】
　因って、図３の本発明において、Ｘ線撮影スイッチ３２を押し続けるとその信号がフリップフロップ回路３５のセット端子に入力され、出力Ｑが立ち上がり撮影準備制御回路３６が駆動する。又、同制御回路３６を介して、Ｘ線撮影に必要な各装置がそれぞれの撮影準備位置にセットされて撮影準備が完了すると、これを撮影準備完了検出スイッチ３３が検出して、その検出信号をフリップフロップ回路３５のリセット端子に入力し、同回路３５の出力Ｑが反転し、前記撮影準備制御回路３６を停止する。
　【００１６】
　さらに、前記検出スイッチ３３の検出信号が同時にフリップフロップ回路３７のセット端子にも入力され、出力Ｑを立ち上げるとともに、その出力と押し続けられているＸ線撮影スイッチ３２からの出力信号をＡＮＤ回路３８でＡＮＤをとることによって、Ｘ線撮影スイッチ３２が押されてる間、Ｘ線撮影制御回路３９を駆動する。Ｘ線撮影が完了するとＸ線撮影完了検出スイッチ３４がこれを検出し、同検出信号がフリップフロップ回路３７のリセット端子に入力され出力Ｑは反転し、ＡＮＤ回路３８によりＸ線撮影スイッチ３２が押し続けられていてもＸ線撮影制御回路３９の駆動を停止するものである。
　【００１７】
　又、Ｘ線撮影スイッチ３２を１回押して離すと、フリップフロップ回路３５のセット端子が立ち上がる。また、Ｘ線撮影スイッチ３２は一端離されるのでＡＮＤ回路３８の入力線４２がＬＯＷレベルに落ちる。この状態に於いては、図４の従来の操作回路と同様になり、撮影準備制御回路３６が駆動し、Ｘ線撮影に必要な各装置を撮影準備状態に設定する。そしてこれを撮影準備完了検出スイッチ３３が検出し、その検出信号がフリップフロップ回路３７のセット端子に入力され、このフリップフロップ回路３７の出力Ｑを立ち上げるので、前記Ｘ線撮影スイッチ３２を再び押すことによりＡＮＤ回路３８の入力線４２がＨｉｇｈレベルになり、押されている間だけＸ線撮影制御回路３９を駆動する。撮影が完了するとＡＮＤ回路３８の出力は反転しＸ線撮影制御回路３９は停止する。
　【００１８】
　【発明の効果】
　以上、説明したように本発明によれば、Ｘ線撮影スイッチを押すだけで自動で撮影準備状態に設定して直後に連続して撮影に入ることができるため、撮影のための準備作業に気を使うことがなく、操作が簡単であるとともに、誤撮影が防止でき、患者の位置付けや、安全のみに気を配ることができるＸ線撮影操作の的確、安全性を向上し得る。
　又、前記Ｘ線撮影スイッチの操作中に、同スイッチを離すことにより、Ｘ線照射を即時に停止することができ、Ｘ線撮影中の被爆事故等を防止することができる。
【図面の簡単な説明】
　【図１】
　本発明の実施例１を示すパノラマＸ線撮影制御装置の回路構成を示すブロック図。
　【図２】
　本発明の実施例１におけるパノラマＸ線撮影制御装置の構成を示す、概略側面図。
　【図３】
　本発明の実施例２を示すパノラマＸ線撮影制御装置の操作回路説明図。
　【図４】
　従来のパノラマＸ線撮影制御装置の操作回路を示す説明図。
　【符号の説明】
　１　操作機
　２　１／０
　３　ＣＰＵ
　４　ＲＯＭ
　５　ＲＡＭ
　６　表示器
　７　バス
　８　撮影条件検知器
　９　Ｘ線撮影装置
　１０　撮影条件制御回路
　１１　アーム制御回路
　１２　アーム駆動源
　１３　アーム位置検出器
　１４　フィルム制御回路
　１５　フィルム駆動源
　１６　フィルム位置検出器
　１７　チンレスト制御回路
　１８　チンレスト駆動源
　１９　チンレスト位置検出器
　２０　表示器
　２１　Ｘ線撮影スイッチ
　２２　リモート部
　３２　Ｘ線撮影スイッチ
　３３　撮影準備完了検出スイッチ
　３４　Ｘ線撮影完了検出スイッチ
　３５　フリップフロップ回路
　３６　撮影準備制御回路
　３７　フリップフロップ回路
　３８　ＡＮＤ回路
　３９　Ｘ線撮影制御回路
　４２　入力線